(57)【要約】【課題】  どのチャンネルでいつ放送されるのか分からない録画予定のイベントの番組について、電子番組表に掲載される前に先行予約して録画が行えるようにする。【解決手段】  録画予約機能（システムコントロール部１、メモリ部６、ＥＰＧ取得部７、イベント情報受付制御部８、イベント判定部９、近似番組選択判定部１０、ＧＵＩ表示制御部１１、録画予約実行部１２）により、録画予定のイベントの番組の番組情報を掲載した電子番組表を受信する前に入力設定された前記イベントの所定の特徴情報に基き、該特徴情報と受信した最新の電子番組表の番組情報との近似性から前記イベントの番組の番組情報の受信を検索して特定し、特定した番組情報に基づいて前記イベントの番組の録画予約を可能にする。【選択図】図１
2007096575.tif 000002
【特許請求の範囲】
【請求項１】
受信する電子番組表の番組情報に基づいて記録媒体に番組の録画予約が可能な記録装置において、録画予定のイベントの所定の特徴情報が前記イベントの番組の前記番組情報を掲載した前記電子番組表を受信する前に入力設定され、前記特徴情報と受信した最新の前記電子番組表の前記番組情報との近似性から前記イベントの番組の前記番組情報の受信を検索して特定し、特定した前記番組情報に基づいて前記イベントの番組の録画予約を可能にする録画予約機能を備えたことを特徴とする記録装置。
【請求項２】
録画予定のイベントの所定の特徴情報が、少なくとも前記イベントの番組タイトルに関連するキーワード情報を含むことを特徴とする請求項１に記載の記録装置。
【請求項３】
録画予定のイベントの所定の特徴情報が、前記イベントの実施の時間情報を含むことを特徴とする請求項２に記載の記録装置。
【請求項４】
録画予定のイベントの所定の特徴情報が、前記イベントの番組タイトルに関連するキーワード情報及び実施の時間情報からなり、録画予約機能により、受信した電子番組表の番組情報の番組タイトル及び放送時間情報が前記イベントのキーワード情報及び実施の時間情報に所定の一致条件以上近似した番組を前記イベントの番組に一致した番組に特定し、前記一致した番組の前記番組情報に基づいて前記イベントの番組の録画予約を可能にすることを特徴とする請求項１に記載の記録装置。
【請求項５】
録画予約機能により、受信した電子番組表の番組情報の番組タイトル及び放送時間情報が録画予定のイベントの番組タイトルに関連するキーワード情報及び実施の時間情報に所定の近似条件以上、所定の一致条件未満の範囲で近似した番組を選択し、選択した番組を前記イベントの候補番組に決定し、前記候補番組を録画するか否かの選択により、録画選択された前記候補番組の前記番組情報に基づいて前記イベントの番組の録画予約を可能にすることを特徴とする請求項４に記載の記録装置。
【請求項６】
録画延長の選択により、録画予定のイベントの番組の録画時間の終期を受信した電子番組表の番組情報の放送時間情報の終期より延長する録画延長機能を備えたことを特徴とする請求項１乃至請求項５の何れか１つに記載の記録装置。
【発明の詳細な説明】
【技術分野】
【０００１】
本発明は、受信する電子番組表の番組情報に基づいて記録媒体に番組の録画予約が可能な記録装置に関し、詳しくは、録画予約の改良に関する。
【背景技術】
【０００２】
従来、ハードディスクや書き込み可能なＤＶＤのような大容量の記録媒体に映像を記録するデジタルビデオレコーダやビデオテープを用いるＶＴＲ等の記録装置には、放送電波やインターネット等を通じて受信した電子番組表（ＥＰＧ）に基づいて番組の録画予約が行えるものがある。
【０００３】
前記電子番組表は一週間程度の一定期間毎に更新され、記録装置は電源が投入されて動作状態になる毎等に最新の電子番組表を受信し、装置内に保持している電子番組表を受信した最新の電子番組表に更新する。
【０００４】
そして、キー操作等で録画予約が選択されると、装置内に保持している電子番組表を内蔵の或いは別体の表示装置に画面表示することにより電子番組表に掲載された番組の選択を受け付け、選択された番組の放送日時等の時間情報や番組タイトル、放送チャンネル等の番組情報を、電子番組表から読み取る等して録画が予約設定される。
【０００５】
また、毎日或いは毎週等の定期的に放送される連続番組については、録画条件として、毎日或いは毎週等をチェック等して加えることにより、毎日或いは毎週等の予約された時間に自動的に録画が行われるように予約設定される。
【０００６】
しかしながら、番組タイトルの一部や放送時間帯が放送毎に変化するシリーズ番組等については録画予約を毎回行う必要があり、また、録画予約された上述の連続番組等は、スポーツ中継等によって放送時間がずれると、録画ミスが生じる。
【０００７】
そこで、電子番組表からすでに予約設定された連続番組やシリーズ番組等について、予約設定後に受信する最新の電子番組表から当該番組の番組情報を取得し、取得した番組情報の番組タイトルと、ユーザにより指定された番組タイトルとを比較して録画予約されている番組を最新の電子番組表から検出（特定）し、自動的に時間情報等の予約設定内容を最新の番組情報に基づいて変更したり、電子番組表からの予約設定後、次の放送回数等によって最新の電子番組表からシリーズ番組等を特定し、特定した番組の番組情報を予約設定内容に反映させたりすることが提案されている（例えば、特許文献１参照。）。
【０００８】
また、電子番組表を利用して受信予約が行えるテレビ受信装置において、受信予約する番組の番組情報が掲載された電子番組表の受信前（発行前）にその番組の放送チャンネル、放送年月日及び時間帯を指定することにより、前記放送年月日の当該放送チャンネルの各番組の番組情報が掲載された電子番組表を受信したときに、同チャンネルの指定された時間帯の番組情報から指定された番組を特定して自動的に受信の予約設定をすることが提案されている（例えば、特許文献２参照。）。
【特許文献１】特開２００３−４６９２１号公報（要約書、段落［００４５］−[００９２]、図１等）
【特許文献２】特開２０００−３４１１５６号公報（要約書、段落［００２５］−［００３７］、図１等）
【発明の開示】
【発明が解決しようとする課題】
【０００９】
上記従来の録画予約が行えるこの種の記録装置においては、放送局側の都合等で番組の放送時間が録画予約後に変更されても、自動的に設定内容が変更されて録画することができる利点はあるが、受信した電子番組表に掲載された連続番組やシリーズ番組にしか対応しておらず、また、電子番組表には一週間程度先までの番組しか掲載されないため、それよりさらに先、換言すれば、受信する電子番組表に掲載される前の番組については録画予約することができない。
【００１０】
そこで、この種の記録装置において、上記従来の電子番組表を利用して受信予約が行えるテレビ放送の受信装置のように、電子番組表に掲載される前の録画予定の番組の放送チャンネル、放送年月日及び時間帯を指定し、電子番組表に掲載される前の当該番組の録画予約が行えるようにすることが考えられるが、この場合、録画予定の番組の放送チャンネル、放送年月日及び時間帯が事前に分かっていなければならない。
【００１１】
したがって、例えばサッカーのワールドカップの予選や本戦（以下、ワールドカップ戦という）のような、実施場所や実施年月日等は新聞やテレビ番組等による告知で随分前から分かっているが、どのチャンネルでいつ放送されるのか分からないイベントの番組については、受信する電子番組表に掲載される前に録画予約することができず、録画することを忘れたりする。
【００１２】
本発明は、この種の記録装置において、上述のようにどのチャンネルでいつ放送されるのか分からないイベントの番組について、電子番組表に掲載される前に先行予約して録画が行えるようにし、また、併せて直前の番組の放送延長等で録画予定の番組の放送時間がずれても録画が確実に行えるようにすることも目的とする。
【課題を解決するための手段】
【００１３】
上記の目的を達成するために、本発明の記録装置は、受信する電子番組表の番組情報に基づいて記録媒体に番組の録画予約が可能な記録装置において、録画予定のイベントの所定の特徴情報が前記イベントの番組の前記番組情報を掲載した前記電子番組表を受信する前に入力設定され、前記特徴情報と受信した最新の前記電子番組表の前記番組情報との近似性から前記イベントの番組の前記番組情報の受信を検索して特定し、特定した前記番組情報に基づいて前記イベントの番組の録画予約を可能にする録画予約機能を備えたことを特徴としている（請求項１）。
【００１４】
そして、請求項１に記載の記録装置における録画予定のイベントの所定の特徴情報が、少なくとも前記イベントの番組タイトルに関連するキーワード情報を含むことを特徴としている（請求項２）。
【００１５】
又、請求項２記載の記録装置における録画予定のイベントの所定の特徴情報が、前記イベントの実施の時間情報を含むことを特徴としている（請求項３）。
【００１６】
さらに、請求項１に記載の記録装置における録画予定のイベントの所定の特徴情報が、前記イベントの番組タイトルに関連するキーワード情報及び実施の時間情報からなり、録画予約機能により、受信した電子番組表の番組情報の番組タイトル及び放送時間情報が前記イベントのキーワード情報及び実施の時間情報に所定の一致条件以上近似した番組を前記イベントの番組に一致した番組に特定し、前記一致した番組の前記番組情報に基づいて前記イベントの番組の録画予約を可能にすることを特徴としている（請求項４）。
【００１７】
さらに、請求項４に記載の記録装置における録画予約機能により、受信した電子番組表の番組情報の番組タイトル及び放送時間情報が録画予定のイベントの番組タイトルに関連するキーワード情報及び実施の時間情報に所定の近似条件以上、所定の一致条件未満の範囲で近似した番組を選択し、選択した番組を前記イベントの候補番組に決定し、前記候補番組を録画するか否かの選択により、録画選択された前記候補番組の前記番組情報に基づいて前記イベントの番組の予約記録を可能にすることを特徴としている（請求項５）。
【００１８】
加えて、請求項１乃至請求項５の何れか１つに記載の記録装置は、録画延長の選択により、録画予定のイベントの番組の録画時間の終期を受信した電子番組表の番組情報の放送時間情報の終期より延長する録画延長機能を備えたことを特徴としている（請求項６）。
【発明の効果】
【００１９】
まず、請求項１の発明によれば、上述のワールドカップ戦のような、実施場所や実施年月日等は新聞やテレビ番組等による告知で随分前から分かっているが、どのチャンネルでいつ放送されるのか分からないイベントを、録画予定のイベントとする場合、該イベントの番組の番組情報を掲載した電子番組表を受信する前に、録画予定の前記イベントの所定の特徴情報を入力設定しておくことにより、録画予約機能が、前記特徴情報と受信した最新の電子番組表の番組情報との近似性から録画予定の前記イベントの番組の番組情報の受信を自動的に検索して特定し、特定した番組情報に基づいて録画予定の前記イベントの番組の録画予約をすることができる。
【００２０】
そのため、ワールドカップ戦のような、実施場所や実施予定年月日等が新聞やテレビ番組等による告知で随分前から分かっているが、どのチャンネルでいつ放送されるのか分からないイベントの番組を、電子番組表に掲載される前に先行予約して録画することができ、録画のし忘れを防止することができ、録画予約の操作性及び機能性を向上することができる。
【００２１】
そして、請求項２の発明によれば、録画予定のイベントの所定の特徴情報が、少なくとも前記イベントの番組タイトルに関連するキーワード情報、例えば上述のワールドカップ戦であればキーワード情報である「ワールドカップ」を含む録画予定のイベントの番組が高い確度で検索されて特定される。
【００２２】
又、請求項３の発明によれば、録画予定のイベントの所定の特徴情報が、番組タイトルに関連するキーワード情報を含むだけでなく、前記イベントの実施年月日や実施時刻のような時間情報も含むため、上述のワールドカップ戦のようにイベントの実施に合わせて放送されるイベントの番組が一層高い確度で検索されて特定される。
【００２３】
つぎに、請求項４の発明によれば、録画予定のイベントの所定の特徴情報が、イベントの番組タイトルに関連するキーワード情報及び実施の時間情報からなり、請求項３の発明のように番組タイトルに関連するキーワード情報及び実施の時間情報の両面から録画予定のイベントの番組を高い確度で検索することができるだけでなく、さらに、録画予約機能により、受信した電子番組表の番組情報の番組タイトル及び放送時間情報がイベントのキーワード情報及び実施の時間情報に所定の一致条件以上近似した番組をイベントの番組に一致した番組として特定するため、電子番組表に掲載された録画予定のイベントの番組を、番組タイトルや放送時間情報のイベントのキーワード情報及び実施の時間情報に対する多少の誤差を許容して一層確実に特定することができ、一層信頼性が高く実用的な方法で、ワールドカップ戦のようなイベントの番組を電子番組表に掲載される前に先行予約して録画することができる。
【００２４】
又、請求項５の発明によれば、番組情報の番組タイトル及び放送時間情報が録画予定のイベントの番組タイトルに関連するキーワード情報及び実施の時間情報に所定の近似条件以上、所定の一致条件未満の範囲で近似する電子番組表の番組、すなわち、請求項４の発明のような高い一致性はなくても、ある程度以上近似して録画対象のイベントの可能性がある電子番組表の番組について、ユーザの選択に基づいて録画予定のイベントの番組に決定して録画予約することができ、録画予定のイベントの番組の番組情報の受信を、情報の多少の不一致によらず、見逃すことなく確実に特定して一層確実な録画予約を行うことができる。
【００２５】
加えて、請求項６の発明によれば、録画延長の選択に基づいて録画延長機能が録画予定のイベントの番組の録画予約時間を受信した電子番組表の番組情報の放送時間情報の時間より延長し、録画の予約時間を放送時間の変更（延長）等を見越して設定することができ、前の番組の放送時間延長等で録画予定の番組の放送時間がずれても録画予約を確実に行うことができる。
【発明を実施するための最良の形態】
【００２６】
つぎに、本発明をより詳細に説明するため、その一実施形態について、図１〜図６にしたがって詳述する。尚、本実施形態では、例えば大容量のハードディスクを記録媒体としてテレビ放送の番組の録画予約が行えるビデオレコーダ（映像記録再生装置）を本発明の記録装置の具体的な製品として以下の説明を続けるが、本発明を限定するものではないことを言及する。
【００２７】
図１は記録装置の回路ブロック図である。図２は録画予約のイベント情報入力設定のフローチャートを示しており、図３は録画予約の番組決定のフローチャートであり、図４は近似番組のユーザ通知のフローチャートを示している。又、図５は録画予約の時間延長選択のフローチャートであり、図６は録画予約の時間延長設定のフローチャートである。
【００２８】
そして、図１に示すように、本実施形態の記録装置は全体の制御、処理を行うシステムコントロール部１に、キー入力部２、電源投入（Ｐｏｗｅｒ  Ｏｎ）制御部３、例えば大容量のハードディスクの記録媒体４、地上波や衛星放送のテレビ番組等による告知を受信するチューナ部５、ＲＡＭやフラッシュメモリ等で構成されたメモリ部６の他、電子番組表取得部（以下、ＥＰＧ取得部という）７、イベント情報受付制御部８、イベント判定部９、近似番組選択判定部１０、ＧＵＩ（Ｇｒａｐｈｉｃａｌ  Ｕｓｅｒ  Ｉｎｔｅｒｆａｃｅ）表示制御部１１、録画予約実行部１２等を接続して形成される。尚、図１の実線矢印は制御の流れを示し、破線矢印は情報（データ）の流れを示す。
【００２９】
又、システムコントロール部１、ＥＰＧ取得部７、イベント情報受付制御部８、イベント判定部９、近似番組選択判定部１０、ＧＵＩ表示制御部１１、録画予約実行部１２等は、マイクロコンピュータによって形成され、該マイクロコンピュータがユーザの録画予約の選択等に基づいて録画予約のプログラムを実行することにより、メモリ部６と共に本発明の録画予約機能及び録画延長機能を形成する。
【００３０】
そして、前記録画予約機能により、サッカーのワールドカップ戦のような、実施場所や実施年月日等は新聞やテレビ番組等による告知で随分前から分かっているが、どのチャンネルでいつ放送されるのか分からないイベントの番組について、電子番組表に掲載される前に先行予約して録画が行えるようにし、又、前記録画延長機能により、併せて直前の番組の放送延長等で録画予定の番組の放送時間がずれても録画が確実に行えるようにする。
【００３１】
ところで、電子番組表（ＥＰＧ）は一週間程度先までの各チャンネルの番組タイトルや放送時間の番組情報を有し、ＥＰＧ取得部７は装置の電源投入時等に動作し、チューナ部５の受信或いはインターネット接続により最新の電子番組表を自動的に受信（取得）し、メモリ部６に保持した既存の電子番組表（ＥＰＧ）情報を最新の電子番組表に書き換えて自動的に更新する。
【００３２】
イベント情報受付制御部８はキー入力部２が受け付けた録画予定のイベントの入力情報を書き換え自在に受け付けて登録し、本発明の後述の先行録画予約にあっては録画予定のイベントの所定の特徴情報を受け付けて登録する。
【００３３】
イベント判定部９は前記特徴情報と受信した最新の電子番組表の前記番組情報との近似性から前記イベントの番組の前記番組情報の受信を検索して特定し、録画予定のイベントの番組に一致する番組、近似する番組を判定する。近似番組選択判定部１０は近似する番組のユーザによる選択を受け付けて予約情報を確定する。ＧＵＩ表示制御部１１は録画予定のイベントの情報入力メニューや近似番組選択判定部１０の選択ガイドメニュー等のグラフィカル画面のＯＳＤ信号等の表示信号を内蔵のあるいは別体の液晶表示装置等の画面表示装置に供給する。録画予約実行部１２は録画予定のイベントの番組の録画予約を行って予約情報を登録する。
【００３４】
つぎに、録画予約の具体的な操作及び処理について説明する。まず、録画予定のイベントの特徴情報の入力設定の処理手順について、図２のフローチャートを参照して説明する。
【００３５】
録画予約はユーザがメニュー選択で録画モードを選択し、システムコントロール部１が図２のステップＡ１〜Ａ４のフローチャートの手順（制御シーケンス）を実行することで行われる。
【００３６】
ところで、録画予定するサッカーのワールドカップ戦のようなイベントは、実施場所や実施年月日等は新聞やテレビ番組等による告知で随分前から分かっているが、どのチャンネルでいつ放送されるのかは、電子番組表に掲載される前には分からない。
【００３７】
そして、録画予定のイベントの特徴情報を入力しておくことで、後日電子番組表に掲載される当該イベントの番組を検索して特定できるようにするため、前記特徴情報は、最も簡単にはイベントの例えば「ワールドカップ」というような、少なくともイベントの番組タイトルに関連するキーワード情報を含むものであればよく、又、この種のイベントの放送日が、通常、イベントの実施日或いはその前後日（海外実施も考慮）であることに着目し、検索精度を高める場合は、イベントが実施される年月日、時間等の時間情報も前記特徴情報に含めることが好ましい。
【００３８】
そこで、イベントの番組が掲載された電子番組表を受信する前の本願の先行する録画予約において、本実施形態の場合は、録画予定のイベントの特徴情報として、前記キーワード情報と前記時間情報をキー操作によって入力し（ステップＡ１、Ａ２）、図１の破線の矢印に示すように、両情報をキー入力部２からイベント情報受付制御部８に取り込む。
【００３９】
そして、入力された前記キーワード情報と前記時間情報をＧＵＩ表示制御部１１を介して表示装置に画面表示し、入力情報の確認と予約するか否かの判断を求め（ステップＡ３）、ユーザがキー操作で予約することに決定すると、両情報をメモリ部６にイベント情報として書き込み、イベントの特徴情報を設定（格納）する（ステップＡ４）。
【００４０】
つぎに、入力設定されたイベントの特徴情報とその後に受信した電子番組表の各番組の番組情報とから当該イベントの番組を特定して録画予約を設定する処理手順について、図３のステップＢ１〜Ｂ６のフローチャート、図４のステップＣ１〜Ｃ８のフローチャートを参照して説明する。
【００４１】
まず、イベントの特徴情報が入力設定されると、図３のステップＢ１〜Ｂ６の処理を実行し、装置の電源投入毎に新たな電子番組表を受信し、ＥＰＧ取得部７によりメモリ部６の電子番組表（ＥＰＧ）情報を最新の電子番組表に書き換えると、その都度、メモリ部６の最新の電子番組表に掲載されている各番組の番組情報をイベント判定部９に取り込み（ステップＢ１）、イベント判定部９により、前記特徴情報として入力設定された前記キーワード情報及び前記時間情報を確認し（ステップＢ２）、確認した前記キーワード情報及び前記時間情報と、メモリ部６の電子番組表の各番組の番組情報のタイトル、放送時間情報との近似性を判断し、録画予定のイベントの番組の番組情報の受信を自動的に検索して特定する。
【００４２】
ここで、前記近似性の判断はメモリ部６の最新の電子番組表から録画対象のイベントの番組を検出するために行うものであるが、録画対象のイベントの番組であったとしても、番組情報の番組タイトル、放送時間情報が録画対象のイベントの前記キーワード情報及び前記時間情報に完全に一致することはほとんどありえないことから、多少の誤差を許容して確実に録画対象のイベントの番組を特定するため、イベント判定部９に所定の一致条件として、例えば、「録画対象のイベントの前記時間情報と同日の放送時間情報であって、タイトルが録画対象のイベントの前記キーワード情報と８０パーセント以上一致する番組が一つだけで存在すること」という一致番組判定基準が設定される。
【００４３】
そして、前記一致番組判定基準に基づいてイベント判定部９は録画予定のイベントの番組の番組情報の受信を検索し、一致番組判定基準を満たし所定の一致条件以上近似した番組が見つかると、録画予定のイベントの番組の番組情報の受信を特定し（ステップＢ３）、電子番組表の特定した番組の番組情報に基づいて録画予定のイベントの放送チャンネル、放送時間等の録画予約に必要な設定を録画予約情報としてメモリ部６に書き込む（ステップＢ４）。又、システムコントロール部１を介して録画予約実行部１２にメモリ部６の前記録画予約情報に基づく録画予約の実行を指令し、電子番組表に掲載される前に入力設定された録画予定のイベントの録画予約を可能にする。
【００４４】
したがって、ワールドカップ戦のようなイベントの番組を電子番組表に掲載される前に先行予約して確実に録画することができ、電子番組表に掲載されてから録画予約に設定する場合等に比して操作性、機能性が著しく向上する。
【００４５】
ところで、録画予定のイベントによっては前記一致番組判定基準に基づく一致検出では検出されないことがあり得る。そこで、本実施形態の場合、イベント判定部９に次の近似番組判定基準も設定する。
【００４６】
前記近似番組判定基準は、電子番組表の番組情報の番組タイトル及び放送時間情報が録画予定のイベントの前記キーワード情報及び前記時間情報に所定の近似条件以上、前記一致番組判定基準の一致条件未満の範囲で近似した番組を前記イベントの候補番組に決定するための基準であり、例えば、「録画対象のイベントの前記時間情報の日（予約予定日）及びその前後日の放送時間情報であって、番組タイトルが録画対象のイベントの前記キーワード情報と６０パーセント以上一致する番組であること」という前記所定の近似条件の基準である。
【００４７】
そして、イベント判定部９はステップＢ３で一致する番組がないと判断すると、前記近似番組判定基準に基づいて近似した番組を検索し（ステップＢ５）、番組情報の番組タイトル及び放送時間情報が録画予定のイベントのキーワード情報及び実施の時間情報に所定の近似条件以上、所定の一致条件未満の範囲で近似する電子番組表の番組、換言すれば、完全に一致するとは判断できないが、ある程度以上近似して録画対象のイベントの可能性がある電子番組表の番組を、前記イベントの候補番組に選択して決定し、該候補番組の番組情報を近似番組情報としてメモリ部６に保持し、同時に、電源投入制御部３により自動的に装置の電源を投入し、近似番組選択判定部１０からＧＵＩ表示制御部１１を介して表示装置に候補番組（近似番組）有りの通知の表示を行う（ステップＢ６）。
【００４８】
そして、図４のステップＣ１〜Ｃ８の処理に移行し、前記ステップＢ５、Ｂ６であるステップＣ１、Ｃ２により候補番組（近似番組）ありの通知の表示を行って、ユーザに録画予定のイベントの番組に決定するか否かの選択を求め、ユーザがキー操作によって後で選択することを通知すると、そのままの状態で処理を終了して決定選択の待機状態になる。
【００４９】
一方、ユーザが今すぐ内容を確認して選択することをキー操作で通知すると、ステップＣ２からステップＣ３を介してステップＣ４に移行し、メモリ部６の各候補番組の近似番組情報を近似番組選択判定部１０、ＧＵＩ表示制御部１１を介して表示装置に読み出して表示する（ステップＣ４）。
【００５０】
そして、ユーザが各候補番組について、録画予約するのか、しないのか、或いはその決定（選択）を後で行うのかをキー操作で選択し、後で行うことを選択したときはステップＣ５を通りそのまま終了して録画予約の番組選択の待機状態になり、すべての候補番組を録画予約の番組に選択しないときはステップＣ５からステップＣ６に移行し、メモリ部６の近似番組情報を消去して処理を終了する。
【００５１】
一方、ユーザが録画予約する候補番組を選択すると、ステップＣ５からステップＣ７に移行し、選択した候補番組の番組情報の録画予約に必要な設定を録画予約情報としてメモリ部６に書き込み、又、録画予約実行部１２に録画予約の実行を指令し、完全には一致しない候補番組に基づき、電子番組表に掲載される前に入力設定された録画予定のイベントの録画予約を可能にする（ステップＣ７）。
【００５２】
そして、未選択の候補番組が残っていると、ステップＣ８を介してステップＣ４に戻り、全ての候補番組について同様の処理を繰り返す。
【００５３】
したがって、録画予定のイベントのキーワード情報及び実施の時間情報と高い一致性はなくても、ある程度以上近似して録画対象のイベントの可能性がある電子番組表の番組について、ユーザの選択に基づいて録画予定のイベントの番組に決定して録画予約をすることができ、録画予定のイベントの番組の番組情報の受信を、情報の多少の不一致によらず、見逃すことなく確実に特定して一層確実な録画予約を行うことができ、一層の操作性、機能性の向上を図ることができる。
【００５４】
つぎに、前の番組の放送時間延長等で録画予定の番組の放送時間がずれても確実に録画が行えるようにする場合には、システムコントロール部１、イベント情報受付制御部８等によって上述の録画延長機能も形成する。
【００５５】
そして、録画延長機能により録画時間を番組情報の本来の時間より長くした録画予約を可能にする場合、録画予定のイベントの特徴情報の入力設定を図５のステップＤ１〜Ｄ６に示す手順で行う。
【００５６】
図５のステップＤ１、Ｄ２、Ｄ５、Ｄ６は図２のステップＡ１、Ａ２、Ａ３、Ａ４と同様の処理ステップであり、ステップＤ３、Ｄ４が録画延長機能に基づく処理のステップである。
【００５７】
そして、ステップＤ１、Ｄ２により録画予定のイベントのキーワード情報及び実施の時間情報を入力設定すると、システムコントロール部１の制御により、イベント情報受付制御部８からＧＵＩ表示制御部１１を介して表示装置に、録画の終了時刻を遅くして録画時間を長くするか否かの選択画面を表示し（ステップＤ３）、ユーザが録画延長を選択すると、表示画面を例えば３０分、１時間、１時間３０分、…の延長時間の選択画面に切り換えてユーザに延長時間（余分に録画する時間）の選択（入力）を求め（ステップＤ４）、延長時間が選択され入力されると、ステップＤ５を介してステップＤ６に移行し、延長時間の情報もイベント情報としてメモリ部６に保持する。
【００５８】
つぎに、予約された録画の実際の時間延長は、例えば図６のステップＥ１〜Ｅ４の手順で行なう。
【００５９】
すなわち、図５のステップＤ１〜Ｄ６の処理によって録画時間の延長を含む録画予定のイベントの特徴情報の設定入力（イベント情報の格納）が行なわれ、図３のステップＢ１〜Ｂ６の処理、図４のステップＣ１〜Ｃ８の処理を経て録画予約の確定状態になると、システムコントロール部１はメモリ部６の電子番組表から録画予約中の番組の時間情報を取り出す（ステップＥ１）。
【００６０】
そして、メモリ部６の延長時間の情報の有無から、当該番組の録画延長の選択の有無を判断し（ステップＥ２）、録画延長が選択されていると、メモリ部６の録画予約情報の録画時間の終期を、前記電子番組表の番組情報の放送時間情報の終期より選択された時間だけ延長（補正）する（ステップＥ３、Ｅ４）。
【００６１】
したがって、録画予定のイベントの番組の開始や終了が直前の番組の放送延長等でずれるおそれがある場合に、録画時間の延長を選択することで、録画時間を放送時間の変更（延長）等を見越して設定し、所望のイベントの番組を放送時間のずれ等によらず確実に録画することができ、録画予約の性能等が一層向上する。
【００６２】
そして、本発明は上記した実施形態に限定されるものではなく、その趣旨を逸脱しない範囲において上述したもの以外に種々の変形実施を行うことが可能であり、例えば、録画予約や録画時間の延長の手順等はどのようであってもよいのは勿論である。又、録画予定のイベントの特徴情報は、番組タイトルに関連するキーワード情報のみであってもよく、該キーワード情報のキーワードが複数個であってもよい。
【００６３】
さらに、装置の回路構成が図１と異なっていてもよいのは勿論であり、特に、記録媒体４は、ハードディスクに代えて書き換え可能なＤＶＤやビデオテープ等であってもよく、又、ハードディスク、ＤＶＤ、ビデオテープ等の複数個の媒体の組み合わせ等であってもよい。
【００６４】
そして、本発明は、受信する電子番組表の番組情報に基づいて記録媒体に番組の録画予約が可能な記録装置或いは記録再生装置の構成の種々の記録装置の録画予約に適用することができる。
【図面の簡単な説明】
【００６５】
【図１】本発明の一実施形態を適用した記録装置の回路ブロック図である。
【図２】本発明の一実施形態の録画予約のイベント情報入力設定のフローチャートである。
【図３】本発明の一実施形態の録画予約の番組決定のフローチャートである。
【図４】本発明の一実施形態の近似番組のユーザ通知のフローチャートである。
【図５】本発明の一実施形態の録画予約の時間延長選択のフローチャートである。
【図６】本発明の一実施形態の録画予約の時間延長設定のフローチャートである。
【符号の説明】
【００６６】
１      システムコントロール部
２      キー入力部
４      記録媒体
５      チューナ部
６      メモリ部
７      ＥＰＧ取得部
８      イベント情報受付制御部
９      イベント判定部
１０    近似番組選択判定部
１１    ＧＵＩ表示制御部
１２    録画予約実行部
【図１】
2007096575.tif 000003
【図２】
2007096575.tif 000004
【図３】
2007096575.tif 000005
【図４】
2007096575.tif 000006
【図５】
2007096575.tif 000007
【図６】
2007096575.tif 000008